Podtech/llm-jp-corpus-v4-ja_patent huggingface dataset:
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
コア（Ｒ）が結晶性樹脂（Ａ）を含有し、シェル（Ｓ）が、重量平均分子量（Ｍｗ）５，０００〜２００，０００の非結晶性樹脂（Ｂ）を含有するコア／シェル型樹脂粒子（Ｐ）、および水性媒体（Ｘ）を含有することを特徴とする樹脂水性分散体（Ｑ）。
【請求項２】
結晶性樹脂（Ａ）が、非結晶性樹脂（Ｂ）のＳＰ値に対して、下記関係式（１）を満たすセグメント（ａ１）と、下記関係式（２）を満たすセグメント（ａ２）を有する２種以上のセグメントが化学結合された樹脂である請求項１記載の樹脂水性分散体（Ｑ）。
｜ＳＰa1−ＳＰB｜＜１．０  （１）
｜ＳＰa2−ＳＰB｜≧１．０  （２）
但し、ＳＰa1はセグメント（ａ１）のＳＰ値、ＳＰa2はセグメント（ａ２）のＳＰ値、ＳＰBは（Ｂ）のＳＰ値である。
【請求項３】
結晶性樹脂（Ａ）が、エステル基、ウレタン基、ウレア基、アミド基、エポキシ基、およびビニル基からなる群から選ばれる１種類以上の官能基を有する請求項１または２いずれか記載の樹脂水性分散体（Ｑ）。
【請求項４】
結晶性樹脂（Ａ）中のセグメント（ａ１）とセグメント（ａ２）が、エステル基、ウレタン基、ウレア基、アミド基およびエポキシ基からなる群から選ばれる１種類以上の官能基で結合されている請求項１〜３いずれか記載の樹脂水性分散体（Ｑ）。
【請求項５】
非結晶性樹脂（Ｂ）の水酸基価が２０ｍｇＫＯＨ／ｇ以下である請求項１〜４いずれか記載の樹脂水性分散体（Ｑ）。
【請求項６】
非結晶性樹脂（Ｂ）が、重合性二重結合を有する芳香族炭化水素および炭素数１〜２２のアルキル基を有する（メタ）アクリル酸エステルを含有するラジカル重合性単量体を重合してなる非結晶性ビニル樹脂である請求項１〜５いずれか記載の樹脂水性分散体（Ｑ）。
【請求項７】
コア／シェル型樹脂粒子（Ｐ）の体積基準のメジアン径が２０ｎｍ〜２μｍである請求項１〜６いずれか記載の樹脂水性分散体（Ｑ）。
【請求項８】
コア／シェル型樹脂粒子（Ｐ）が、（Ｂ）の有機溶剤溶液と（Ａ）の水性分散体（Ａ０）とを転相乳化して得られる請求項１〜７いずれか記載の樹脂水性分散体（Ｑ）。
【請求項９】
請求項１〜８いずれか記載の樹脂水性分散体（Ｑ）中のコア／シェル型樹脂粒子（Ｐ）の凝集物を熱融着させてなる樹脂粒子（Ｍ）。
【請求項１０】
請求項１〜８いずれか記載の樹脂水性分散体（Ｑ）中のコア／シェル型樹脂粒子（Ｐ）および着色剤の凝集物を熱融着させてなる着色樹脂粒子（Ｎ）。
【請求項１１】
請求項９に記載の樹脂粒子（Ｍ）または請求項１０に記載の着色樹脂粒子（Ｎ）を含有してなるトナー（Ｚ）。
【請求項１２】
示差走査熱量計（ＤＳＣ）により測定された結晶性樹脂（Ａ）由来の吸熱ピークトップを示す温度（Ｔｐ）が４０〜１００℃の範囲にあって、昇温時の吸熱ピーク面積Ｓ1とＳ2が下記の関係式（３）を満たすことを特徴とする請求項１１に記載のトナー（Ｚ）。
Ｓ2／Ｓ1×１００≧３５  （３）
但し、トナーを昇温、冷却、昇温した際の第１回目の昇温過程の吸熱ピーク面積をＳ1、第２回目の昇温過程の吸熱ピーク面積をＳ2とする。
【請求項１３】
トナー中の結晶性樹脂（Ａ）の含有率が、２〜５０重量％である請求項１１または１２いずれか記載のトナー（Ｚ）。
【請求項１４】
請求項１〜８いずれか記載の樹脂水性分散体（Ｑ）中のコア／シェル型樹脂粒子（Ｐ）を凝集させ熱融着させた後、水性媒体（Ｘ）を除去して得られる樹脂粒子（Ｍ）の製造方法。
【請求項１５】
請求項１〜８いずれか記載の樹脂水性分散体（Ｑ）と着色剤の水性分散液とを混合して分散液（Ｗ）を得た後、分散液（Ｗ）中のコア／シェル型樹脂粒子（Ｐ）および着色剤を凝集させ熱融着させた後、水性媒体（Ｘ）を除去して得られる着色樹脂粒子（Ｎ）の製造方法。
【請求項１６】
請求項１４に記載の製造方法により得られる樹脂粒子（Ｍ）又は請求項１５に記載の製造方法により得られる着色樹脂粒子（Ｎ）を含有するトナーの製造方法。
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
コア（Ｒ）が結晶性樹脂（Ａ）を含有し、シェル（Ｓ）がスチレン−アクリル系樹脂（Ｂ）を含有する体積基準の平均メジアン径が２０ｎｍ〜２μｍであるコア／シェル型樹脂粒子（Ｐ）、および水性媒体（Ｘ）を含有する樹脂水性分散体（Ｑ）であって、スチレン−アクリル系樹脂（Ｂ）が、重合性二重結合を有する芳香族炭化水素（ｂ１）と、炭素数１〜２２のアルキル基を有する（メタ）アクリル酸エステル（ｂ２）と、カルボキシル基と重合性二重結合を有する単量体（ｂ３）および／又はスルホ基と重合性二重結合を有する単量体（ｂ４）とを構成単位として有し、かつ（Ａ）と（Ｂ）が下記の関係式（１）を満たす樹脂水性分散体（Ｑ）。
１５≦Ｘ≦５５      （１）      
Ｘ＝０．６１×ＡＶ−０．６４×（｜ＳＰＢ−ＳＰＡ−０．５｜）−０．３５×（｜ＥＢ−ＥＡ＋２０｜）−０．５０×Ｍｗ／１０，０００＋１８．０      （２）
［但し、関係式（２）  中、ＡＶは（Ｂ）の酸価（ｍｇＫＯＨ／ｇ）、ＳＰＢは（Ｂ）の溶解度パラメータ（ＳＰ値）、ＳＰＡは（Ａ）の溶解度パラメータ、ＥＢは（Ｂ）のエステル基濃度（重量％）、ＥＡは（Ａ）のエステル基濃度（重量％）、Ｍｗは（Ｂ）の重量平均分子量を表す。］
【請求項２】
スチレン−アクリル系樹脂（Ｂ）が構成単量体として重合性二重結合を有する芳香族炭化水素（ｂ１）を５０〜９５重量％含有する請求項１に記載の樹脂水性分散体（Ｑ）。
【請求項３】
スチレン−アクリル系樹脂（Ｂ）の酸価が５〜４０ｍｇＫＯＨ／ｇである請求項１または２のいずれかに記載の樹脂水性分散体（Ｑ）。
【請求項４】
スチレン−アクリル系樹脂（Ｂ）のゲルパーミエーションクロマトグラフィーで得られる分子量分布において、３，０００〜６０，０００の領域に少なくとも１つのピークを有する請求項１〜３のいずれかに記載の樹脂水性分散体（Ｑ）。
【請求項５】
スチレン−アクリル系樹脂（Ｂ）の１２０℃における貯蔵弾性率Ｇ’（１２０）が１×１０３〜１×１０６（Ｐａ）である請求項１〜４のいずれかに記載の樹脂水性分散体（Ｑ）。
【請求項６】
結晶性樹脂（Ａ）が、エステル基、ウレタン基、ウレア基、アミド基、エポキシ基、及び、ビニル基からなる群から選ばれる１種類以上を有する請求項１〜５のいずれかに記載の樹脂水性分散体（Ｑ）。
【請求項７】
結晶性樹脂（Ａ）の重量平均分子量が３，０００〜５０，０００である請求項１〜６のいずれかに記載の樹脂水性分散体（Ｑ）。
【請求項８】
スチレン−アクリル系樹脂（Ｂ）の有機溶剤溶液と結晶性樹脂（Ａ）の水性分散体（Ａ０）とを転相乳化して得られる請求項１〜７いずれか記載の樹脂水性分散体（Ｑ）。
【請求項９】
請求項１〜８いずれか記載の樹脂水性分散体（Ｑ）中のコア／シェル型樹脂粒子（Ｐ）の凝集物を熱融着させてなる樹脂粒子（Ｍ）。
【請求項１０】
請求項１〜８いずれか記載の樹脂水性分散体（Ｑ）中のコア／シェル型樹脂粒子（Ｐ）および着色剤の凝集物を熱融着させてなる着色樹脂粒子（Ｎ）。
【請求項１１】
請求項９に記載の樹脂粒子（Ｍ）又は請求項１０に記載の着色樹脂粒子（Ｎ）を含有してなるトナー（Ｚ）。
【請求項１２】
下記の関係式（３）および（４）を満たす請求項１１に記載のトナー（Ｚ）。
Ｑ１／（Ｑ０×ｑ／１００）≧０．８      （３）
［関係式中、Ｑ０は（Ａ）を０℃から１５０℃まで毎分１０℃で昇温したときに示差走査熱量測定で検出される第１回目の昇温過程における（Ａ）の吸熱ピークに基づく吸熱量［Ｊ／ｇ］を表す。Ｑ１は、トナーを０℃から１５０℃まで毎分１０℃で昇温したときに検出される第１回目の昇温過程における（Ａ）に由来の吸熱ピークに基づく吸熱量［Ｊ／ｇ］を表す。ｑはトナーに対する（Ａ）の含有量（重量％）を表す。］
Ｑ２／Ｑ１≦０．５０      （４）
［式中、Ｑ２は、トナーの第１回目の昇温過程でＱ１を測定した後に、１５０℃から０℃まで毎分１０℃で冷却した後、０℃から１５０℃まで再び毎分１０℃で昇温する第２回目の昇温過程における（Ａ）に由来の吸熱ピークに基づく吸熱量［Ｊ／ｇ］を表す。］
【請求項１３】
下記の関係式（５）を満たす請求項１１または１２に記載のトナー（Ｚ）。
１０≦Ｔｇ１−Ｔｇ２≦３０      （５）
［関係式（５）中、Ｔｇ１はトナーを０℃から１５０℃まで毎分１０℃で昇温したときに示差走査熱量測定で検出される第１回目の昇温過程におけるガラス転移温度（℃）を表す。また、Ｔｇ２はトナーの第１回目の昇温過程でＴｇ１を測定した後に、１５０℃から０℃まで毎分１０℃で冷却した後、０℃から１５０℃まで毎分１０℃で再び昇温したときに検出される第２回目の昇温過程におけるガラス転移温度（℃）を表す。］
【請求項１４】
トナー中の結晶性樹脂（Ａ）の含有率が、２〜５０重量％である請求項１１〜１３のいずれかに記載のトナー（Ｚ）。
【請求項１５】
請求項１〜８のいずれかに記載の樹脂水性分散体（Ｑ）中のコア／シェル型樹脂粒子（Ｐ）を凝集させ熱融着させた後、水性媒体（Ｘ）を除去して得られる樹脂粒子（Ｍ）の製造方法。
【請求項１６】
請求項１〜８のいずれかに記載の樹脂水性分散体（Ｑ）と着色剤の水性分散液とを混合して分散液（Ｗ）を得た後、分散液（Ｗ）中のコア／シェル型樹脂粒子（Ｐ）および着色剤を凝集させ熱融着させた後、水性媒体（Ｘ）を除去して得られる着色樹脂粒子（Ｎ）の製造方法。
【請求項１７】
請求項１５に記載の製造方法により得られる樹脂粒子（Ｍ）又は請求項１６に記載の製造方法により得られる着色樹脂粒子（Ｎ）を含有するトナーの製造方法。
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
取得条件の成立により取得された判定情報に基づき、遊技者に有利な特別遊技を実行するか否かを判定する判定手段と、当該判定の結果に応じて前記特別遊技を実行することが可能な特別遊技制御手段を備える遊技機において、
遊技の進行に関する所定情報を所定情報表示領域に表示する所定情報表示手段を備え、
前記所定情報表示領域は、第１所定情報表示領域と、前記第１所定情報表示領域よりも前記所定情報が視認し易い第２所定情報表示領域と、を有し、
前記第１所定情報表示領域及び前記第２所定情報表示領域では、発光体を用いて前記所定情報を表示させ、
前記第１所定情報表示領域における発光体の数よりも前記第２所定情報表示領域における発光体の数の方が少ない、
ことを特徴とする遊技機。
【請求項２】
前記判定情報を保留記憶として記憶する記憶手段と、
前記特別遊技を実行するか否かを事前判定する事前判定手段と、を備え、
前記所定情報表示領域は、前記第１所定情報表示領域よりも前記所定情報が視認し易い第３所定情報表示領域をさらに有し、
前記所定情報表示手段は、
前記判定手段による前記判定の結果に基づき変動表示を前記所定情報として前記所定情報表示領域に表示させ、
前記保留記憶の数に応じた保留表示を前記所定情報として前記所定情報表示領域に表示させ、
前記変動表示の実行中の所定のタイミングにおいて、前記第３所定情報表示領域に表示される前記保留表示は消去させるが、前記第１所定情報表示領域及び前記第２所定情報表示領域に表示される前記保留表示は消去させることがない、
請求項１に記載の遊技機。
【手続補正２】
【補正対象書類名】明細書
【補正対象項目名】０００８
【補正方法】変更
【補正の内容】
【０００８】
本発明の遊技機は、取得条件の成立により取得された判定情報に基づき、遊技者に有利な特別遊技を実行するか否かを判定する判定手段と、当該判定の結果に応じて前記特別遊技を実行することが可能な特別遊技制御手段を備える遊技機において、遊技の進行に関する所定情報を所定情報表示領域に表示する所定情報表示手段を備え、前記所定情報表示領域は、第１所定情報表示領域と、前記第１所定情報表示領域よりも前記所定情報が視認し易い第２所定情報表示領域と、を有し、前記第１所定情報表示領域及び前記第２所定情報表示領域では、発光体を用いて前記所定情報を表示させ、前記第１所定情報表示領域における発光体の数よりも前記第２所定情報表示領域における発光体の数の方が少ない。
また、本発明の遊技機は、前記判定情報を保留記憶として記憶する記憶手段と、前記特別遊技を実行するか否かを事前判定する事前判定手段と、を備え、前記所定情報表示領域は、前記第１所定情報表示領域よりも前記所定情報が視認し易い第３所定情報表示領域をさらに有し、前記所定情報表示手段は、前記判定手段による前記判定の結果に基づき変動表示を前記所定情報として前記所定情報表示領域に表示させ、前記保留記憶の数に応じた保留表示を前記所定情報として前記所定情報表示領域に表示させ、前記変動表示の実行中の所定のタイミングにおいて、前記第３所定情報表示領域に表示される前記保留表示は消去させるが、前記第１所定情報表示領域及び前記第２所定情報表示領域に表示される前記保留表示は消去させることがない。
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
放射線を走査し、皮膚上に治療スポットのパターンを形成することによって、前記皮膚のある面積を治療するためのデバイスであって、
前記デバイスは、自動走査システムを備え、前記自動走査システムは、放射線源によって生成された入力ビームを受光し、前記受光された入力ビームを走査し、前記皮膚上に治療スポットのパターンを形成する一連の順次出力ビームを提供するように構成され、
前記自動走査システムは、回転軸を中心として回転するように構成された略カップ形状の凹面走査要素を含み、
前記略カップ形状の凹面走査要素は、前記放射線源によって生成された前記入力ビームを受光するように構成されている、内部へと面する表面を備える、デバイス。
【請求項２】
前記自動走査システムは、前記皮膚上にそれぞれから離間される治療スポットのパターンを形成し、部分治療を提供するように構成されている、請求項１に記載のデバイス。
【請求項３】
前記カップ形状の走査要素の回転軸は、非ゼロおよび非９０度であるオフセット角度だけ、前記受光された入力ビームの伝搬軸から角度オフセットされている、請求項１に記載のデバイス。
【請求項４】
前記受光された入力ビームの伝搬軸と前記カップ形状の走査要素の回転軸との間のオフセット角度は、１０〜８０度である、請求項３に記載のデバイス。
【請求項５】
前記受光された入力ビームの伝搬軸と前記カップ形状の走査要素の回転軸との間のオフセット角度は、３０〜６０度である、請求項３に記載のデバイス。
【請求項６】
前記カップ形状の走査要素は、前記回転軸の周囲に配列された複数の小型レンズを備え、各小型レンズは、前記出力ビームのうちの１つを提供するように構成され、その結果、前記回転式走査要素が前記回転軸を中心として回転すると、前記入力ビームは、異なる小型レンズ表面によって連続して反射され、前記一連の順次出力ビームを提供する、請求項１に記載のデバイス。
【請求項７】
前記小型レンズは、異なる小型レンズによって提供される前記出力ビームが相互から角度オフセットされるように構成されている、請求項６に記載のデバイス。
【請求項８】
前記小型レンズは、異なる小型レンズによって提供される前記出力ビームが、ある走査方向に相互から角度オフセットされるように構成され、前記走査方向は、非ゼロおよび非９０度であるオフセット角度だけ、前記カップ形状の走査要素の回転軸から角度オフセットされる、請求項６に記載のデバイス。
【請求項９】
前記走査方向と前記カップ形状の走査要素の回転軸との間のオフセット角度は、１０〜８０度である、請求項８に記載のデバイス。
【請求項１０】
前記走査方向と前記カップ形状の走査要素の回転軸との間のオフセット角度は、３０〜６０度である、請求項８に記載のデバイス。
【請求項１１】
各小型レンズは、非ゼロおよび非９０度であるオフセット角度だけ、前記カップ形状の走査要素の回転軸から角度オフセットされる中心線を画定する、請求項６に記載のデバイス。
【請求項１２】
前記各小型レンズの中心線と前記カップ形状の走査要素の回転軸との間のオフセット角度は、１０〜８０度である、請求項１１に記載のデバイス。
【請求項１３】
前記各小型レンズの中心線と前記カップ形状の走査要素の回転軸との間のオフセット角度は、３０〜６０度である、請求項１１に記載のデバイス。
【請求項１４】
少なくとも１つの小型レンズは、その小型レンズによって提供される前記出力ビームが、前記出力ビームがその小型レンズによって提供される持続時間の間、前記入力ビームに対して実質的に一定の偏向角度を維持するように構成されている、請求項６に記載のデバイス。
【請求項１５】
少なくとも１つの小型レンズは、トロイド形状を有する、請求項６に記載のデバイス。
【請求項１６】
前記少なくとも１つの小型レンズのトロイド形状は、特定の軸を中心として少なくとも１つの弧を回転させることによって画定される、請求項１５に記載のデバイス。
【請求項１７】
前記少なくとも１つの小型レンズのトロイド形状は、前記カップ形状の走査要素の回転軸を中心として少なくとも１つの弧を回転させることによって画定される、請求項１６に記載のデバイス。
【請求項１８】
少なくとも２つの小型レンズのうちのそれぞれの小型レンズの頂点は、前記カップ形状の走査要素の回転軸から異なる距離に位置する、請求項６に記載のデバイス。
【請求項１９】
放射線を走査し、皮膚上に治療スポットのパターンを形成することによって、前記皮膚のある面積を治療するためのデバイスであって、
前記デバイスは、自動走査システムを備え、前記自動走査システムは、放射線源によって生成された入力ビームを受光し、前記受光された入力ビームを走査し、前記皮膚上に治療スポットのパターンを形成する一連の順次出力ビームを提供するように構成され、前記自動走査システムは、回転軸を中心として回転するように構成された透過性のカップ形状の走査要素を含み、
前記回転式透過性の走査要素の回転軸は、非ゼロおよび非９０度であるオフセット角度だけ、前記受光された入力ビームの伝搬軸から角度オフセットされている、デバイス。
【請求項２０】
前記回転式透過性の走査要素の回転軸と前記受光された入力ビームの伝搬軸との間のオフセット角度は、１０〜８０度である、請求項１９に記載のデバイス。
【請求項２１】
前記回転式透過性の走査要素の回転軸と前記受光された入力ビームの伝搬軸との間のオフセット角度は、３０〜６０度である、請求項１９に記載のデバイス。
【請求項２２】
前記自動走査システムは、前記皮膚上にそれぞれから離間される治療スポットのパターンを形成し、部分治療を提供するように構成されている、請求項１９に記載のデバイス
【請求項２３】
前記走査要素は、前記回転軸の周囲に配列された複数の小型レンズを備え、各小型レンズは、前記出力ビームのうちの１つを提供するように構成され、その結果、前記回転する走査要素が前記回転軸を中心として回転すると、前記入力ビームは、異なる小型レンズ表面によって連続して反射され、前記一連の順次出力ビームを提供する、請求項１９に記載のデバイス。
【請求項２４】
少なくとも１つの小型レンズは、その小型レンズによって提供される前記出力ビームが、前記出力ビームがその小型レンズによって提供される持続時間の間、前記入力ビームに対して実質的に一定の偏向角度を維持するように構成されている、請求項２３に記載のデバイス。
【請求項２５】
前記小型レンズは、異なる小型レンズによって提供される前記出力ビームが相互から角度オフセットされるように構成されている、請求項２３に記載のデバイス。
【請求項２６】
前記小型レンズは、異なる小型レンズによって提供される前記出力ビームが、ある走査方向に相互から角度オフセットされるように構成され、前記走査方向は、非ゼロおよび非９０度であるオフセット角度だけ、前記カップ形状の走査要素の回転軸から角度オフセットされる、請求項２３に記載のデバイス。
【手続補正書】
【提出日】平成29年7月5日(2017.7.5)
【手続補正１】
【補正対象書類名】特許請求の範囲
【補正対象項目名】全文
【補正方法】変更
【補正の内容】
【特許請求の範囲】
【請求項１】
診断を支援するために医用画像から取得する情報の種類に応じて医用画像の解像度を設定する設定手段と、
前記設定された解像度の医用画像を取得する画像取得手段と、
前記取得された医用画像から前記情報を取得するために前記医用画像に対する画像処理を行う処理手段と、
を有することを特徴とする画像処理装置。
【請求項２】
前記診断を支援するために医用画像から取得する情報の種類は、前記医用画像における病変部位に関する情報であることを特徴とする請求項１に記載の画像処理装置。
【請求項３】
前記画像処理の結果に基づく情報を入力とするニューラルネットワークの出力に基づく情報を、前記診断を支援するための情報として取得する情報取得手段をさらに有することを特徴とする請求項１又は請求項２のいずれか１項に記載の画像処理装置。
【請求項４】
前記ニューラルネットワークの出力は、前記医用画像における病変部位の特徴を示すラベリングに関する情報であることを特徴とする請求項３に記載の画像処理装置。
【請求項５】
前記診断を支援するための情報は、前記医用画像の特徴を示す所見の情報であることを特徴とする請求項１乃至請求項４のいずれか１項に記載の画像処理装置。
【請求項６】
圧縮された画像データである圧縮画像を取得する取得手段と、
前記画像データに対する処理の種類に応じて、前記取得される前記圧縮画像の圧縮の程度を異ならせるように制御する制御手段と、
前記圧縮画像に対して画像処理を行う画像処理手段と、
を有することを特徴とする画像処理装置。
【請求項７】
診断を支援するために医用画像から取得する情報の種類に応じて医用画像の解像度を設定する設定手段と、
前記設定された解像度の医用画像を取得する画像取得手段と、
前記取得された医用画像から前記情報を取得するために前記医用画像に対する画像処理を行う処理手段と、
を有することを特徴とする画像処理システム。
【請求項８】
診断を支援するために医用画像から取得する情報の種類に応じて医用画像の解像度を設定する工程と、
前記設定された解像度の医用画像を取得する工程と、
前記取得された医用画像から前記情報を取得するために前記医用画像に対する画像処理を行う工程と、
を有することを特徴とする画像処理方法。
【請求項９】
請求項８に記載の画像処理方法をコンピュータに実行させるためのプログラム。
【手続補正２】
【補正対象書類名】明細書
【補正対象項目名】００１７
【補正方法】変更
【補正の内容】
【００１７】
上記の目的を達成するために本発明による画像処理装置は以下の構成を備える。すなわち、
診断を支援するために医用画像から取得する情報の種類に応じて医用画像の解像度を設定する設定手段と、
前記設定された解像度の医用画像を取得する画像取得手段と、
前記取得された医用画像から前記情報を取得するために前記医用画像に対する画像処理を行う処理手段と、を有する。
【手続補正３】
【補正対象書類名】明細書
【補正対象項目名】００１８
【補正方法】変更
【補正の内容】
【００１８】
また、上記の目的を達成するために本発明による画像処理方法は以下の構成を備える。すなわち、
診断を支援するために医用画像から取得する情報の種類に応じて医用画像の解像度を設定する工程と、
前記設定された解像度の医用画像を取得する工程と、
前記取得された医用画像から前記情報を取得するために前記医用画像に対する画像処理を行う工程と、を有する。
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
取得条件の成立により取得された判定情報に基づき、遊技者に有利な特別遊技を実行するか否かを判定する判定手段と、当該判定の結果に応じて前記特別遊技を実行することが可能な特別遊技制御手段を備える遊技機において、
遊技の進行に関する所定情報を所定情報表示領域に表示する所定情報表示手段を備え、
前記所定情報表示領域は、第１所定情報表示領域と、第２所定情報表示領域と、前記第１所定情報表示領域及び前記第２所定情報表示領域よりも前記所定情報が視認し易い第３所定情報表示領域と、を有し、
前記第１所定情報表示領域及び前記第２所定情報表示領域では、発光体を用いて前記所定情報を表示させ、
前記第１所定情報表示領域における発光体の数よりも前記第２所定情報表示領域における発光体の数の方が少ない、
ことを特徴とする遊技機。
【請求項２】
前記判定情報を保留記憶として記憶する記憶手段と、
前記特別遊技を実行するか否かを事前判定する事前判定手段と、を備え、
前記所定情報表示手段は、
前記保留記憶の数に応じた保留表示を前記所定情報として前記所定情報表示領域に表示させると共に、前記事前判定の結果に基づき前記保留表示の表示態様を変化させることが可能であり、
前記第１所定情報表示領域及び前記第２所定情報表示領域に表示される前記保留表示の表示態様は変化させないが、前記第３所定情報表示領域に表示される前記保留表示の表示態様は変化させる、
請求項１に記載の遊技機。
【手続補正２】
【補正対象書類名】明細書
【補正対象項目名】０００８
【補正方法】変更
【補正の内容】
【０００８】
本発明の遊技機は、取得条件の成立により取得された判定情報に基づき、遊技者に有利な特別遊技を実行するか否かを判定する判定手段と、当該判定の結果に応じて前記特別遊技を実行することが可能な特別遊技制御手段を備える遊技機において、遊技の進行に関する所定情報を所定情報表示領域に表示する所定情報表示手段を備え、前記所定情報表示領域は、第１所定情報表示領域と、第２所定情報表示領域と、前記第１所定情報表示領域及び前記第２所定情報表示領域よりも前記所定情報が視認し易い第３所定情報表示領域と、を有し、前記第１所定情報表示領域及び前記第２所定情報表示領域では、発光体を用いて前記所定情報を表示させ、前記第１所定情報表示領域における発光体の数よりも前記第２所定情報表示領域における発光体の数の方が少ない。
また、本発明の遊技機は、前記判定情報を保留記憶として記憶する記憶手段と、前記特別遊技を実行するか否かを事前判定する事前判定手段と、を備え、前記所定情報表示手段は、前記保留記憶の数に応じた保留表示を前記所定情報として前記所定情報表示領域に表示させると共に、前記事前判定の結果に基づき前記保留表示の表示態様を変化させることが可能であり、前記第１所定情報表示領域及び前記第２所定情報表示領域に表示される前記保留表示の表示態様は変化させないが、前記第３所定情報表示領域に表示される前記保留表示の表示態様は変化させる。
【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に関する情報を保留記憶として記憶する保留記憶手段と、
可変表示に対応する特定表示を表示する特定表示手段と、
特定表示の表示態様を変化させる特定演出を実行可能な特定演出実行手段と、
特定表示の表示態様が変化することを示唆する示唆演出を実行可能な示唆演出実行手段とを備え、
前記特定演出実行手段は、前記示唆演出が実行された後に特定表示の表示態様を変化させる第１特定演出と、前記示唆演出が実行されることなく特定表示の表示態様を変化させる第２特定演出とを実行可能であり、
前記示唆演出実行手段は、
演出後に特定表示の表示態様が変化する第１示唆演出と、演出後に特定表示の表示態様が変化しない第２示唆演出とを実行可能であり、
通常態様とは異なる表示態様により表示されている特定表示があるか否かに応じて、異なる割合で前記第２示唆演出を実行する
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能な遊技機に関する。
【手続補正３】
【補正対象書類名】明細書
【補正対象項目名】０００９
【補正方法】変更
【補正の内容】
【０００９】
（手段１）本発明による遊技機は、可変表示を行い、遊技者にとって有利な有利状態（例えば、大当り遊技状態）に制御可能な遊技機であって、可変表示に関する情報を保留記憶として記憶する保留記憶手段（例えば、第１保留記憶バッファおよび第２保留記憶バッファ）と、可変表示に対応する特定表示（例えば、保留表示やアクティブ保留表示）を表示する特定表示手段（例えば、本例では合算保留記憶表示部１８ｃやアクティブ保留表示部１８ｄ）と、特定表示の表示態様を変化させる特定演出（例えば、保留表示に対する作用演出やアクティブ保留表示に対する作用演出）を実行可能な特定演出実行手段（例えば、演出制御用マイクロコンピュータ１００が先読み演出決定処理（ステップＳ６７１）やアクティブ保留用作用演出設定処理（ステップＳ１８０６ａ）の決定結果にもとづいて、ステップＳ１８１６，Ｓ１８４５を実行する部分）と、特定表示の表示態様が変化することを示唆する示唆演出を実行可能な示唆演出実行手段とを備え、特定演出実行手段は、示唆演出が実行された後に特定表示の表示態様を変化させる第１特定演出と、示唆演出が実行されることなく特定表示の表示態様を変化させる第２特定演出とを実行可能であり、示唆演出実行手段は、演出後に特定表示の表示態様が変化する第１示唆演出と、演出後に特定表示の表示態様が変化しない第２示唆演出とを実行可能であり、通常態様とは異なる表示態様により表示されている特定表示があるか否かに応じて、異なる割合で第２示唆演出を実行することを特徴とする。
そのような構成により、特定演出に関する演出に着目させることができ、興趣を向上させることができる。
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
被験者の血管内に注入されるべき薬液が血管外に漏出したことを検出する漏出検出センサであって、
被験者に照射する光を出射する複数の発光素子と、
前記複数の発光素子から出射して前記被験者で反射した光を受光する１つの受光素子と、
前記発光素子および受光素子を内部に保持する筐体と、
を有し、
前記複数の発光素子は、前記１つの受光素子を取り囲んで配置され、かつ、
前記筐体は、使用時に被験者の体表面に密着される外光吸収性の密着面と、前記密着面の前記発光素子および受光素子と対向する位置に形成された、光を通過させるための複数の開口部と、を有することを特徴とする漏出検出センサ。
【請求項２】
前記密着面の少なくとも前記開口部の周囲を含む領域が黒色とされている請求項１に記載の漏出検出センサ。
【請求項３】
前記受光素子と対向する開口部は、前記密着面の中央に形成されている請求項１に記載の漏出検出センサ。
【請求項４】
前記筐体の前記密着面と反対側の面である上面はドーム状に形成されている請求項１から３のいずれか１項に記載の漏出検出センサ。
【請求項５】
前記筐体は、前記密着面を一端面とする偏平な円柱状の形状を有している請求項１から４のいずれか１項に記載の漏出検出センサ。
【請求項６】
前記発光素子が出射する光を透過する透光部材が前記開口部に嵌め込まれており、これによって前記密着面は、前記透光部材の下面も含めて平坦とされている請求項１から５のいずれか１項に記載の漏出検出センサ。
【請求項７】
前記複数の発光素子が同時に駆動される請求項１から６のいずれか１項に記載の漏出検出センサ。
【請求項８】
前記複数の発光素子が発光タイミングをずらして駆動される請求項１から６のいずれか１項に記載の漏出検出センサ。
【請求項９】
前記複数の発光素子は、複数のグループに分けられ、前記グループ毎に発光タイミングをずらして駆動される請求項８に記載の漏出検出センサ。
【請求項１０】
請求項１から９のいずれか１項に記載の漏出検出センサと、
前記漏出検出センサが漏出の検出対象とする薬液を注入する薬液注入装置と、
を有し、
前記薬液注入装置は、前記薬液の注入動作および前記漏出検出センサの動作を制御することを特徴とする薬液注入システム。
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
Ｎ−末端からＣ−末端へ、
（ａ）可溶性アルファクロトー（ｓクロトー）又はその変異体若しくはフラグメントを含むポリペプチド；
（ｂ）線維芽細胞増殖因子２３（ＦＧＦ２３）又はその変異体若しくはフラグメントを含むポリペプチド；及び
所望により（ｃ）リンカーを含む、融合ポリペプチドであって、
ＨＥＫ２９３細胞におけるＥｇｒ−１−ルシフェラーゼレポーターアッセイにおいて活性を有し、かつ／又は、Ｃ２Ｃ１２筋芽細胞において筋管増殖の誘導又は促進が可能である、融合ポリペプチド。
【請求項２】
（ａ）のポリペプチドが、配列番号：７に示されるアミノ酸配列を含む、請求項１に記載の融合ポリペプチド。
【請求項３】
（ｂ）のポリペプチドが、配列番号：３５又は配列番号３６に示されるアミノ酸配列を含む、請求項１に記載の融合ポリペプチド。
【請求項４】
（ａ）のポリペプチド及び（ｂ）のポリペプチドが、配列番号：１１、配列番号：１２、配列番号：１３、配列番号：１４、配列番号：１５、配列番号：１６、配列番号：１７又は配列番号：１８に示されるアミノ酸配列を含むポリペプチドリンカーにより連結されている、請求項１に記載の融合ポリペプチド。
【請求項５】
ポリペプチドリンカーが、配列番号：１２、配列番号：１３、配列番号：１４、配列番号：１５、配列番号：１６、配列番号：１７及び配列番号：１８からなる群から選択されるアミノ酸配列の少なくとも１から最大約３０までの繰り返しを含む、請求項４に記載の融合ポリペプチド。
【請求項６】
ポリペプチドリンカーが、配列番号：１５に示されるアミノ酸配列を含む、請求項４に記載の融合ポリペプチド。
【請求項７】
（ａ）のポリペプチドが、配列番号：５又は配列番号：６に示されるアミノ酸配列を含む、請求項１に記載の融合ポリペプチド。
【請求項８】
配列番号：１９又は配列番号：２０に示されるアミノ酸配列を含む、請求項１に記載の融合ポリペプチド。
【請求項９】
配列番号：４０又は配列番号：４１に示されるアミノ酸配列を含む、請求項１に記載の融合ポリペプチド。
【請求項１０】
（ｂ）のポリペプチドが、配列番号：４２又は配列番号：４３に示されるアミノ酸配列を含む、請求項１に記載の融合ポリペプチド。
【請求項１１】
（ａ）のポリペプチドが、配列番号：４４又は配列番号：４５に示されるアミノ酸配列を含む、請求項１に記載の融合ポリペプチド。
【請求項１２】
（ｂ）のポリペプチドが、Ｒ１７９の位置で変異を有するＦＧＦ２３を含む、請求項１に記載の融合ポリペプチド。
【請求項１３】
（ｂ）のポリペプチドが、Ｑ１５６、Ｃ２０６及び／又はＣ２４４の位置で変異を有するＦＧＦ２３を含む、請求項１に記載の融合ポリペプチド。
【請求項１４】
ＦＧＦ２３が、１５６、２０６及び／又は２４４の位置で変異をさらに含む、請求項１２に記載の融合ポリペプチド。
【請求項１５】
シグナルペプチドをさらに含む、請求項１に記載の融合ポリペプチド。
【請求項１６】
シグナルペプチドがクロトーシグナルペプチドである、請求項１５に記載の融合ポリペ
プチド。
【請求項１７】
シグナルペプチドがＩｇＧシグナルペプチドである、請求項１５に記載の融合ポリペプチド。
【請求項１８】
線維芽細胞増殖因子受容体に特異的に結合する、請求項１に記載の融合ポリペプチド。
【請求項１９】
クロトータンパク質がアルファ−クロトーである、請求項１に記載の融合ポリペプチド。
【請求項２０】
クロトータンパク質がベータ−クロトーである、請求項１に記載の融合ポリペプチド。
【請求項２１】
ＦＧＦ２３は変異Ｒ１７９Ｑを有する、請求項１２に記載の融合ポリペプチド。
【請求項２２】
配列番号：５４、５５、５６、５７、５８、５９、６０、６１、６２、６３、６４、６
５、６６、６７又は６８に示されるアミノ酸配列と９５％以上同一であるアミノ酸配列を含む、請求項１に記載の融合ポリペプチド。
【請求項２３】
配列番号：５８又は配列番号：６８に示されるアミノ酸配列を有する、請求項１に記載の融合ポリペプチド。
【請求項２４】
ＦｃＬＡＬＡを含む、請求項１に記載の融合ポリペプチド。
【請求項２５】
請求項１〜２４のいずれか一項に記載の融合ポリペプチド及び薬学的に許容される担体を含む医薬組成物。
【請求項２６】
請求項１〜２４のいずれか一項に記載の融合ポリペプチドをコードする配列を含む核酸。
【請求項２７】
請求項２６に記載の核酸を含む宿主細胞。
【請求項２８】
請求項２６に記載の核酸を含むベクター。
【請求項２９】
加齢関連状態又は代謝障害を処置又は予防するための医薬組成物の製造における、請求項１〜２４のいずれか一項に記載の融合ポリペプチドの使用。
【請求項３０】
加齢関連状態が、サルコペニア、皮膚萎縮、筋肉疲労、脳萎縮、アテローム性動脈硬化症、動脈硬化症、肺気腫、骨粗鬆症、骨関節症、免疫不全、高血圧、認知症、ハンチントン病、アルツハイマー病、白内障、加齢黄斑変性症、前立腺癌、卒中、期待寿命の低下(diminished life expectancy)、記憶障害、しわ、腎機能障害及び加齢性難聴からなる群から選択される、請求項２９に記載の使用。
【請求項３１】
加齢関連状態が筋肉疲労である、請求項３０に記載の使用。
【請求項３２】
代謝障害が、ＩＩ型糖尿病、メタボリック・シンドローム、高血糖及び肥満からなる
群から選択される、請求項２９に記載の使用。
【請求項３３】
筋萎縮、慢性腎臓疾患、慢性腎不全、高リン血症、石灰沈着症を処置又は予防するための医薬組成物の製造における、請求項１〜２４のいずれか一項に記載の融合ポリペプチドの使用。
【請求項３４】
癌を処置又は予防するための医薬組成物の製造における、請求項１〜２４のいずれか一項に記載の融合ポリペプチドの使用。
【請求項３５】
癌が乳癌である、請求項３４に記載の使用。
【誤訳訂正書】
【提出日】平成29年8月14日(2017.8.14)
【誤訳訂正１】
【訂正対象書類名】明細書
【訂正対象項目名】０００５
【訂正方法】変更
【訂正の内容】
【０００５】
ＲＣＴ経路にはＨＤＬ粒子が介在する。ＨＤＬ／コレステロールの除去を調節するＦ１-ＡＴＰ加水分解酵素及びＰ２Ｙ１３受容体（Martinez et al. 2003 Nature 421; 75-79）が関与する肝臓における経路については最近発表がなされた。ＡＴＰのＡＤＰへの加水分解を可能にし、そして、結果的に細胞によるＨＤＬの取り込みを生じるＰ２Ｙ１３受容体活性を刺激する、肝細胞表面におけるＦ１-ＡＴＰ加水分解酵素サブユニットのヌクレオチド分解酵素活性の存在が最近発表された(Jacquet et al. 2005 Cell Mol Life Sci 62; 2508-2515）。さらに最近、Ｆａｂｒｅら(Fabre et al. Hepatology 52; 1477-1483）は、マウスにおけるＰ２Ｙ１３受容体とコレステロール逆輸送の関係を確認した。
【誤訳訂正２】
【訂正対象書類名】明細書
【訂正対象項目名】０４３１
【訂正方法】変更
【訂正の内容】
【０４３１】
０日の用量投与前及び化合物ＩＩａの４週間の投与後、回収したウサギ血漿からの血液試料にて、以前記載された(Wang et al., 2007)ようにコレステロールの流出能を定量した。手短には、［３Ｈ］−コレステロール（２μＣｉ／ｍｌ；パーキンエルマー）で標識した酸化ＬＤＬ（２５μｇ／ｍＬ）を、２．５％血清培地における２４時間の培養でのＪ７７４マクロファージに加えた。２．５％（ｖ／ｖ）ウサギ血漿又はβ−リポタンパク質を含まない血漿（ＰＴＡキット、フランス、Ｂｉｏｌａｂｏ）を６時間インキュベート後、［３Ｈ］−コレステロールの放出を測定した。アッセイはすべて３つ組で行った。ウサギの血漿（校正剤）を各プレートに含め、この校正剤で血漿試料を割ることによって値を標準化し、試料の標準化したコレステロール流出能を割り出した。
動物のプロトコール
【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
始動条件の成立により遊技者に有利な特別遊技を行うか否かを判定する判定手段と、
前記判定手段による判定結果に基づき、図柄の変動を伴う変動演出を所定の演出手段にて行う演出制御手段と、を備え、
前記変動演出として、少なくとも通常演出と、前記通常演出の後に実行される第１特別演出及び第２特別演出とを有し、
前記演出制御手段は、
前記通常演出を実行する第１変動演出態様と、前記通常演出を実行した後に前記第１特別演出を実行する第２変動演出態様と、前記通常演出を実行した後に前記第２特別演出を実行する第３変動演出態様とを含む複数の変動演出態様のうち何れかの変動演出態様により前記変動演出の実行を制御し、
何れの変動演出態様により前記変動演出の実行が制御されている場合においても、前記通常演出を行っているときに所定の段階から最終段階に向けて演出を段階的に進行する段階演出を実行可能であり、
前記第２変動演出態様の前記変動演出において前記段階演出を実行する場合、前記最終段階まで演出を進行させ、前記最終段階まで演出が進行したことに応じて前記第１特別演出を実行し、
前記第３変動演出態様の前記変動演出において前記段階演出を実行する場合、前記最終段階まで演出を進行させることを規制し、前記最終段階まで演出が進行した場合に実行されることのない前記第２特別演出を実行し、
前記第１変動演出態様の前記変動演出において前記段階演出を実行する場合、前記最終段階まで演出を進行させることを規制すること
を特徴とする遊技機。
【手続補正２】
【補正対象書類名】明細書
【補正対象項目名】０００６
【補正方法】変更
【補正の内容】
【０００６】
遊技機（１）は、始動条件の成立により遊技者に有利な特別遊技を行うか否かを判定する判定手段（３００）と、前記判定手段による判定結果に基づき、図柄の変動を伴う変動演出を所定の演出手段（２０１，２１２）にて行う演出制御手段（３２０）と、を備え、前記変動演出として、少なくとも通常演出と、前記通常演出の後に実行される第１特別演出及び第２特別演出とを有し、前記演出制御手段は、前記通常演出を実行する第１変動演出態様と、前記通常演出を実行した後に前記第１特別演出を実行する第２変動演出態様と、前記通常演出を実行した後に前記第２特別演出を実行する第３変動演出態様とを含む複数の変動演出態様のうち何れかの変動演出態様により前記変動演出の実行を制御し、何れの変動演出態様により前記変動演出の実行が制御されている場合においても、前記通常演出を行っているときに所定の段階から最終段階に向けて演出を段階的に進行する段階演出を実行可能であり、前記第２変動演出態様の前記変動演出において前記段階演出を実行する場合、前記最終段階まで演出を進行させ、前記最終段階まで演出が進行したことに応じて前記第１特別演出を実行し、前記第３変動演出態様の前記変動演出において前記段階演出を実行する場合、前記最終段階まで演出を進行させることを規制し、前記最終段階まで演出が進行した場合に実行されることのない前記第２特別演出を実行し、前記第１変動演出態様の前記変動演出において前記段階演出を実行する場合、前記最終段階まで演出を進行させることを規制することを特徴とする。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
予め定められた判定条件が成立すると、遊技者にとって有利な特別遊技状態とするか否かの判定を行い、当該判定の結果に応じた演出表示を演出装置により行う演出制御手段を備える遊技機であって、
前記判定が行われると、識別図柄の変動表示を行い、当該識別図柄の変動表示を行った後、当該判定の結果を示す前記識別図柄の停止表示を行う識別図柄制御手段を備え、
前記演出装置は、
前記演出表示を行う画像表示装置と、
前記画像表示装置を遊技者が視認可能な透過度を有した導光板が前記画像表示装置よりも遊技者側にあり、当該導光板を発光させるための発光部が発光することで、前記画像表示装置で行われる前記演出表示と連係した連係表示を行う導光板表示装置と、を備え、
前記演出制御手段は、
前記識別図柄制御手段により変動表示されている前記識別図柄に対応して変動する所定の図柄表示を行うことが可能であり、
前記導光板表示装置による前記連係表示を行うときは、前記画像表示装置による前記演出表示を第１の表示態様から当該第１の表示態様より暗い第２の表示態様に変更するが、前記所定の図柄表示の表示態様は暗い表示態様に変更しない、
ことを特徴とする遊技機。
【手続補正２】
【補正対象書類名】明細書
【補正対象項目名】０００４
【補正方法】変更
【補正の内容】
【０００４】
また、特許文献１には、演出表示装置の前面に導光板を配置し、演出表示装置に表示される遊技に関わる情報の表示が、導光板の表示に重なる位置に配置されている場合は導光板の表示を制限し、少なくとも当該情報の表示に重なる位置で表示される導光板の表示は行わないようにし、当該情報の視認性が悪くなることを防止している遊技機に関する記載がされている。
【手続補正３】
【補正対象書類名】明細書
【補正対象項目名】０００６
【補正方法】変更
【補正の内容】
【０００６】
しかし、特許文献１に記載のような遊技機のように、演出表示装置の前面に配置されている導光板の表示が演出表示装置に表示される遊技に関わる情報の表示に重なる位置に配置されている場合は導光板演出を行わない、又は、少ない領域での導光板演出しか行わないので、導光板の演出効果が低下してしまう虞がある。
【手続補正４】
【補正対象書類名】明細書
【補正対象項目名】０００７
【補正方法】変更
【補正の内容】
【０００７】
そこで、本発明は、演出表示装置の前面に導光板を配置した構成で、演出表示装置と導光板とによる関連した演出を行うことによって、演出効果をより向上させることができる遊技機を提供することを目的とする。
【手続補正５】
【補正対象書類名】明細書
【補正対象項目名】０００８
【補正方法】変更
【補正の内容】
【０００８】
本願請求項１に記載の発明は、予め定められた判定条件が成立すると、遊技者にとって有利な特別遊技状態とするか否かの判定を行い、当該判定の結果に応じた演出表示を演出装置により行う演出制御手段を備える遊技機であって、前記判定が行われると、識別図柄の変動表示を行い、当該識別図柄の変動表示を行った後、当該判定の結果を示す前記識別図柄の停止表示を行う識別図柄制御手段を備え、前記演出装置は、前記演出表示を行う画像表示装置と、前記画像表示装置を遊技者が視認可能な透過度を有した導光板が前記画像表示装置よりも遊技者側にあり、当該導光板を発光させるための発光部が発光することで、前記画像表示装置で行われる前記演出表示と連係した連係表示を行う導光板表示装置と、を備え、前記演出制御手段は、前記識別図柄制御手段により変動表示されている前記識別図柄に対応して変動する所定の図柄表示を行うことが可能であり、前記導光板表示装置による前記連係表示を行うときは、前記画像表示装置による前記演出表示を第１の表示態様から当該第１の表示態様より暗い第２の表示態様に変更するが、前記所定の図柄表示の表示態様は暗い表示態様に変更しない、ことを特徴とする。
【手続補正６】
【補正対象書類名】明細書
【補正対象項目名】０００９
【補正方法】削除
【補正の内容】
【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域に設けられ、所定の判定条件の成立により遊技球が入球可能な状態になる特別遊技を行う入賞口を有する入賞口ユニットと、
遊技球が入賞する他の入賞口を有するとともに、前記入賞口ユニットに対して着脱可能に設けられる他の入賞口ユニットと、
を備えることを特徴とする遊技機。
【請求項２】
遊技球が流下可能な遊技領域に設けられ、所定の判定条件の成立により遊技球が入球可能な状態になる特別遊技を行う入賞口を有する入賞口ユニットと、
前記入賞口に入賞した遊技球を前記遊技領域外に排出する排出部と、を備え、
前記入賞口ユニットは、
前記入賞口ユニットに隣り合って配置されて遊技球が入賞する他の入賞口を設ける場合に、前記排出部との間に当該他の入賞口を有する他の入賞口ユニットが接続可能に構成され、
前記入賞口ユニットに隣り合って配置されて遊技球が入賞する他の入賞口を設けない場合に、前記他の入賞口ユニットを介さずに前記排出部と接続可能に構成される
ことを特徴とする遊技機。
【手続補正２】
【補正対象書類名】明細書
【補正対象項目名】０００６
【補正方法】変更
【補正の内容】
【０００６】
上記の目的を達成する本発明は、次のような遊技機として実現される。この遊技機（例えば、パチンコ遊技機１００）は、遊技球が流下可能な遊技領域（例えば、遊技領域１１１）に設けられ、所定の判定条件の成立により遊技球が入球可能な状態になる特別遊技を行う入賞口（例えば、大入賞口１２５）を有する入賞口ユニット（例えば、大入賞口ユニット５００Ａ）と、遊技球が入賞する他の入賞口（例えば、第１始動口１２１）を有するとともに、前記入賞口ユニット（例えば、大入賞口ユニット５００Ａ）に対して着脱可能に設けられる他の入賞口ユニット（例えば、特別入賞ユニット５００Ｂ）と、を備えることを特徴とすることができる。
また、上記の目的を達成する本発明は、次のような遊技機として実現される。この遊技機（例えば、パチンコ遊技機１００）は、遊技球が流下可能な遊技領域（例えば、遊技領域１１１）に設けられ、所定の判定条件の成立により遊技球が入球可能な状態になる特別遊技を行う入賞口（例えば、大入賞口１２５）を有する入賞口ユニット（例えば、大入賞口ユニット５００Ａ）と、前記入賞口（例えば、大入賞口１２５）に入賞した遊技球を前記遊技領域（例えば、遊技領域１１１）外に排出する排出部（例えば、排出部１１８）と、を備え、前記入賞口ユニット（例えば、大入賞口ユニット５００Ａ）は、前記入賞口ユニット（例えば、大入賞口ユニット５００Ａ）に隣り合って配置されて遊技球が入賞する他の入賞口（例えば、第１始動口１２１）を設ける場合に、前記排出部（例えば、排出部１１８）との間に当該他の入賞口（例えば、第１始動口１２１）を有する他の入賞口ユニット（例えば、特別入賞ユニット５００Ｂ）が接続可能に構成され、前記入賞口ユニット（例えば、大入賞口ユニット５００Ａ）に隣り合って配置されて遊技球が入賞する他の入賞口（例えば、第１始動口１２１）を設けない場合に、前記他の入賞口ユニット（例えば、特別入賞ユニット５００Ｂ）を介さずに前記排出部（例えば、排出部１１８）と接続可能に構成されることを特徴とすることができる。
【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
遊技において、画像表示領域による画像演出と、可動部材による可動部材演出と、を実行可能な遊技機であって、
遊技機への電力供給が停止したときに、電力供給が再開された後の遊技において遊技を復旧する際に必要な制御データを保持するための制御データ保持手段と、
電力供給が再開されたときに、前記制御データ保持手段に保持された制御データに基づき遊技を復旧させるための復旧処理を行うとともに、前記復旧処理に係る復旧中画像を前記画像表示領域に表示させる遊技復旧処理手段と、
を備え、
前記可動部材は、第１可動領域において移動可能な第１可動部材、及び、当該第１可動領域と重複する領域を含む第２可動領域において移動可能な第２可動部材、を含む複数の可動部材を有し、
前記可動部材演出は、前記画像表示領域と重複する第１所定位置まで前記第１可動部材が移動する第１可動部材演出、及び、前記第１所定位置とは異なる第２所定位置まで前記第２可動部材が移動する第２可動部材演出、を含み、
前記遊技復旧処理手段は、
電力供給が再開されたときに、前記第１可動部材及び前記第２可動部材が、前記移動が行われる前の待機位置にない場合、
前記可動部材毎に異なるタイミングで、前記移動が行われる前の待機位置に移動させる制御を実行すると共に、前記復旧中画像を画像表示領域に表示させ、その後、該復旧中画像に代えて前記画像演出に係る初期画像を前記画像表示領域に表示させる制御を実行し、
前記可動部材毎に異なるタイミングで、前記可動部材演出と同様の態様で所定位置まで移動及び前記待機位置まで移動させる制御を行う初期動作を実行する
ことを特徴とする遊技機。
【手続補正２】
【補正対象書類名】明細書
【補正対象項目名】０００８
【補正方法】変更
【補正の内容】
【０００８】
本発明は、上記従来の実情に鑑みて、電力供給が再開された場合にも各種の画像を容易に視認することが可能になる遊技機を提供することを目的とする。
【手続補正３】
【補正対象書類名】明細書
【補正対象項目名】０００９
【補正方法】変更
【補正の内容】
【０００９】
上記目的を達成するために、本発明に係る遊技機は、遊技において、画像表示領域による画像演出と、可動部材による可動部材演出と、を実行可能な遊技機であって、遊技機への電力供給が停止したときに、電力供給が再開された後の遊技において遊技を復旧する際に必要な制御データを保持するための制御データ保持手段と、電力供給が再開されたときに、前記制御データ保持手段に保持された制御データに基づき遊技を復旧させるための復旧処理を行うとともに、前記復旧処理に係る復旧中画像を前記画像表示領域に表示させる遊技復旧処理手段と、を備え、前記可動部材は、第１可動領域において移動可能な第１可動部材、及び、当該第１可動領域と重複する領域を含む第２可動領域において移動可能な第２可動部材、を含む複数の可動部材を有し、前記可動部材演出は、前記画像表示領域と重複する第１所定位置まで前記第１可動部材が移動する第１可動部材演出、及び、前記第１所定位置とは異なる第２所定位置まで前記第２可動部材が移動する第２可動部材演出、を含み、前記遊技復旧処理手段は、電力供給が再開されたときに、前記第１可動部材及び前記第２可動部材が、前記移動が行われる前の待機位置にない場合、前記可動部材毎に異なるタイミングで、前記移動が行われる前の待機位置に移動させる制御を実行すると共に、前記復旧中画像を画像表示領域に表示させ、その後、該復旧中画像に代えて前記画像演出に係る初期画像を前記画像表示領域に表示させる制御を実行し、前記可動部材毎に異なるタイミングで、前記可動部材演出と同様の態様で所定位置まで移動及び前記待機位置まで移動させる制御を行う初期動作を実行することを特徴とする。
【手続補正４】
【補正対象書類名】明細書
【補正対象項目名】００１０
【補正方法】変更
【補正の内容】
【００１０】
本発明の遊技機によれば、電力供給が再開された場合にも各種の画像を容易に視認することが可能になるという効果を奏する。